(57)【要約】      （修正有）【課題】定植作業及び収穫作業を簡単且つ効率よく行えると共に、装置全体を簡素な構造で且つ安価に製作することができる水耕栽培装置を提供する。【解決手段】植物を定植保持する苗床パレット１と、苗床パレット１を載置支持すると共に苗床パレット１に保持された植物の根部に液体肥料を循環供給する液体肥料循環路を形成するように装置の幅方向に並列配置された樋状栽培台３と、苗床パレット１の上方部に配置されて植物に光合成を促進させる波長の光を照射する光源４と、樋状栽培台３及び光源４を固定支持する装置本体棚と、を備える。樋状栽培台３の長手方向一端部には苗床パレット１を順次樋状栽培台３上に投入するパレット搬入口部８Ａが形成され、長手方向他端部には苗床パレット１のスライド移動により成長した植物を収穫するように苗床パレット１を順次樋状栽培台３上から搬出するパレット搬出口部８Ｂが形成されている。【選択図】図１
0003190912.tif 000002
【実用新案登録請求の範囲】
【請求項１】
植物を所定間隔置きに列状に定植保持する苗床パレットと、前記苗床パレットを載置支持すると共に該苗床パレットに保持された前記植物の根部に液体肥料を供給する液体肥料循環路を形成するように並列配置された樋状栽培台と、前記苗床パレットの上部に配置されて前記植物に光合成を促進させる波長の光を照射する光源と、前記樋状栽培台及び光源を固定支持する装置本体棚と、を備える水耕栽培装置であって、
前記樋状栽培台は、前記苗床パレットを該樋状栽培台の長手方向の一端部から他端部に向けてスライド移動可能に載置支持するように構成されており、
前記樋状栽培台の長手方向の一端部には、前記苗床パレットを該樋状栽培台上に順次投入して載置支持する搬入口部が形成されていると共に、
前記樋状栽培台の長手方向の他端部には、前記苗床パレットが該樋状栽培台に沿ってスライド移動されることにより成長した植物を保持する前記苗床パレットを順次搬出して成長植物を収穫する搬出口部が形成されていることを特徴とする水耕栽培装置。
【請求項２】
前記樋状栽培台及び前記光源はそれぞれ、前記装置本体に上下方向複数段に固定支持されている請求項１に記載の水耕栽培装置。
【請求項３】
前記光源は、前記苗床パレット全域に光が均等又は略均等に照射されるように配置された複数個のＬＥＤ電球から構成されている請求項１または２に記載の水耕栽培装置。
【請求項４】
前記苗床パレットがスライド移動する方向に直交する方向の前記装置本体棚の両側位置には、前記光源から照射されて前記装置本体棚の側方外方へ漏洩する光を前記装置本体棚の内部に向けて反射させる光反射板が取付けられている請求項１ないし３のいずれか１項に記載の水耕栽培装置。
【請求項５】
前記樋状栽培台により形成される液体肥料循環路は、液体肥料に前記植物の根部を泳がす程度の液量を確保する浅い循環路に形成されている請求項１ないし４のいずれか１項に記載の水耕栽培装置。
【考案の詳細な説明】
【技術分野】
【０００１】
本考案は、主として野菜等の植物を、土壌あるいは土壌に替わる培地材を使用することなく、液体肥料（養液）のみで栽培するように構成されている水耕栽培装置に関する。
【背景技術】
【０００２】
液体肥料のみを用いて野菜等の植物を栽培する水耕栽培は、土壌等から害虫や病気が植物にうつる等の悪影響を受けることがないだけでなく、植物の生育に必要な温度、湿度等の環境、照明、養液供給などを適正にコントロールすることが可能であるため、年間を通じて安定的かつ連続的に無農薬で栄養素の高い野菜等の植物を多量に生産（収穫）できるというメリットを有している。
【０００３】
この種の従来の一般的な水耕栽培装置は、図５に示すように、液体肥料を栽培台となるタンク１０に供給するポンプ等の液体肥料供給装置（図示省略）と、野菜等の植物Ｂを保持するために所定間隔置きに複数の穴１１ａが列状に開設された平板状の苗床パレット１１と、該苗床パレット１１の上部に配置されて植物Ｂに光合成を促進させる波長の光を照射する光源１２と、前記タンク１０及び光源１２を固定支持する装置本体棚１３と、を備えている。そして、前記苗床パレット１１を、栽培台となるタンク１０上の複数の所定位置に載置し固定するとともに、各苗床パレット１１の穴１１ａに植物Ｂを挿入し保持させることにより、各植物Ｂの根部Ｂａをタンク１０内に供給された液体肥料に浸して植物Ｂを成長させるように構成されていた。
【考案の概要】
【考案が解決しようとする課題】
【０００４】
上記のような構成の従来の水耕栽培装置においては、複数の苗床パレット１１が栽培台となるタンク１０上に載置固定されて位置移動するものでない。従って、栽培前の定植作業や成長後の植物Ｂの収穫作業時には、図６に概略的に示すように、作業者Ｍが装置本体棚１３を起点に移動しながら作業する必要があって、作業効率が悪いのみならず、装置本体棚１３の上下方向複数段で栽培する場合は、定植作業や収穫作業に脚立等を使用しなければならないために、不安定、不安全な姿勢での作業が強いられるという問題があった。
【０００５】
また、従来の水耕栽培装置は、タンク１０内に溜めた液体肥料中に植物Ｂの根部全体を浸す湛液水耕方式が採用されていたので、液体肥料の使用量が多くなり、その結果、深いタンク１０の設置が必要となって装置全体が大型化し、それに伴って、装置本体棚１３を頑丈な構造にする必要があるととともに、液体肥料を溜めおくタンク１０としては錆等が発生しない材料を用いることも必要となって、装置全体が高価になるという問題もあった。
【０００６】
本考案は上述の実情に鑑みてなされたもので、定植作業及び収穫作業を簡単に、且つ、効率よく行うことができると共に、装置全体を簡素な構造で且つ安価に製作することができ、その上、植物をむら無く成長させて良品収穫量の向上を図ることができる水耕栽培装置を提供することを目的とする。
【課題を解決するための手段】
【０００７】
上記目的を達成するために案出された本考案に係る水耕栽培装置は、植物を所定間隔置きに列状に定植保持する苗床パレットと、前記苗床パレットを載置支持すると共に該苗床パレットに保持された前記植物の根部に液体肥料を供給する液体肥料循環路を形成するように並列配置された樋状栽培台と、前記苗床パレットの上部に配置されて前記植物に光合成を促進させる波長の光を照射する光源と、前記樋状栽培台及び光源を固定支持する装置本体棚と、を備える水耕栽培装置であって、前記樋状栽培台は、前記苗床パレットを該樋状栽培台の長手方向の一端部から他端部に向けてスライド移動可能に載置支持するように構成されており、前記樋状栽培台の長手方向の一端部には、前記苗床パレットを該樋状栽培台上に順次投入して載置支持する搬入口部が形成されていると共に、前記樋状栽培台の長手方向の他端部には、前記苗床パレットが該樋状栽培台に沿ってスライド移動されることにより成長した植物を保持する前記苗床パレットを順次搬出して成長植物を収穫する搬出口部が形成されていることを特徴とする。
【考案の効果】
【０００８】
上記のごとき特徴構成を有する本考案に係る水耕栽培装置によれば、苗床パレットを樋状栽培台の長手方向一端部の搬入口部から該樋状栽培台上に順次投入した後、その投入した苗床パレットを樋状栽培台の長手方向他端部に向けて該樋状栽培台上に沿ってスライド移動させることにより植物を次第に成長（育成）させ、その後、樋状栽培台の長手方向他端部の搬出口部から苗床パレットを順次排出させることにより成長植物を収穫するといったように、苗床パレットを植物の成長に合わせて樋状栽培台に沿って順次スライド移動させる先入れ先出し形式の水耕栽培を行うことが可能である。そのため、作業者は、装置本体棚の両端部という定位置に居ながら定植作業、収穫作業を簡単かつ効率的に行うことができる。また、上下方向複数段で栽培する場合でも、脚立等を使用する必要がないため、定植作業や収穫作業を安定的かつ安全に行うことができる。
【０００９】
また、液体肥料をタンクに貯留するのでなく、樋状栽培台が形成する液体肥料循環路に循環させて植物の根部に常に流動接触させる水耕方式を採用しているので、液体肥料の使用量も低減することが可能となり、その結果、深さの浅い樋状栽培台を使用して装置全体を軽量小型で且つ安価に製作することができる。
【００１０】
加えて、苗床パレットをスライド移動させて植物を成長させるので、光合成を促進させる波長の光を全ての植物に対してほぼ均等に照射することができ、植物の成長にむらをなくして良品収穫量の向上を図ることができるという効果を奏する。
【００１１】
特に、本考案に係る水耕栽培装置において、前記樋状栽培台及び前記光源はそれぞれ、前記装置本体棚に上下方向複数段に固定支持されていることが好ましい（請求項２)。
この場合は、各段それぞれにおいて前述の先入れ先出し形式での水耕栽培を行うことが可能であるため、作業者の無駄な動作を最小限に抑えながら、良品収穫量のより一層の向上を図ることができる。
【００１２】
また、本考案に係る水耕栽培装置において、前記光源は、前記苗床パレット全域に光が均等又は略均等に照射されるように配置された複数個のＬＥＤ電球から構成されていることが好ましい（請求項３）。
この場合は、光源自体の寿命が長く、且つ消費電力も少なくて経済的であるばかりでなく、植物の光合成作用及び形態形成（茎を太く葉を茂らせる）に適合した波長で植物を早く且つ健康に成長させることができる。
【００１３】
また、本考案に係る水耕栽培装置において、前記苗床パレットがスライド移動する方向に直交する方向の前記装置本体棚の両側位置には、前記光源から照射されて前記装置本体棚の側方外方へ漏洩する光を前記装置本体の内部に向けて反射させる光反射板が取付けられていることが好ましい（請求項４）。
この場合は、光源から照射されて装置本体棚の側方外方へ漏洩する光を光反射板によって装置本体棚の内部に向けて反射させ、この反射光を補助光として活用することにより、消費電力をできるだけ抑えつつも植物の成長を一層促進することができる。
【００１４】
また、本考案に係る水耕栽培装置において、前記樋状栽培台により形成される液体肥料循環路は、液体肥料に前記植物の根部を泳がす程度の液量を確保する浅い循環路に形成されていることが好ましい（請求項５）
この場合は、植物の根部が液体肥料に泳ぐ程度の水量を用いる薄膜水耕方式となるため、樋状栽培台として雨樋等の市販量産品を活用することが可能となり、装置本体の構造を簡素化して装置全体を一層安価に構成（製作）することができる。
【図面の簡単な説明】
【００１５】
【図１】本考案に係る水耕栽培装置全体の概略側面図である。
【図２】同上水耕栽培装置の一部断面正面図である。
【図３】同上水耕栽培装置における要部の拡大平面図である。
【図４】同上水耕栽培装置における水耕方式を説明する要部の拡大概要図である。
【図５】従来の水耕栽培装置の一部断面正面図である。
【図６】同上従来の水耕栽培装置による定植及び収穫作業状態を説明する概略平面図である。
【考案を実施するための形態】
【００１６】
以下、本考案の実施の形態を、図面を参照しながら説明する。
図１は本考案に係る水耕栽培装置全体を示す概略側面図、図２は同水耕栽培装置の一部を断面して示す正面図である。これら図１、図２に示すように、本考案に係る水耕栽培装置Ａは、植物Ｂを所定間隔置いて列状に定植保持する苗床パレット１と、該苗床パレット１を載置支持すると共に、各苗床パレット１に保持された植物Ｂの根部Ｂａに液体肥料を循環供給する液体肥料循環路２を形成するように装置Ａの幅方向に略一定間隔を置いて並列配置された樋状栽培台３と、前記苗床パレット１の上方部に配置されて植物Ｂに光合成を促進させる波長の光を照射する光源４と、前記樋状栽培台３及び光源４を固定支持する装置本体棚５と、を備えている。
【００１７】
前記装置本体棚５は、装置Ａの幅方向の両側で前記樋状栽培台３の長手方向に一定の間隔を隔てて立設された柱状体６，６と、これら両側の柱状体６，６同士を上下複数個所において固定接合する横桟部材７とから構成されている。装置本体棚５における上下複数段の横桟部材７上にそれぞれ前記樋状栽培台３が固定支持されているとともに、装置本体棚５の最下位の横桟部材７を除く各段の横桟部材７の下面にはそれより下段の苗床パレット１に保持される植物Ｂに向けて光を照射する光源４が固定支持されている。
【００１８】
前記上下複数段の樋状栽培台３それぞれは、図３に概略的に示すように、各段の苗床パレット１を該樋状栽培台３の長手方向の一端部（図１の右端部）から他端部（図１の左端部）に向けてスライド移動可能に載置支持するように構成されている。そして、前記上下複数段の樋状栽培台３の長手方向の一端部（図１の右端部）は、装置本体棚５の長手方向の一端部（図１の右端部）の横桟部材７よりも右外方に突出して形成されており、この突出部分３Ａにより前記苗床パレット１を順次樋状栽培台３上に投入して載置支持するパレット搬入口部８Ａが形成されている。
【００１９】
また、前記上下複数段の樋状栽培台３の長手方向の他端部（図１の左端部）は、装置本体棚５の長手方向の他端部（図１の左端部）の横桟部材７よりも左外方に突出して形成されており、この突出部分３Ｂにより前記苗床パレット１を順次樋状栽培台３上から搬出して成長した植物Ｂを収穫するパレット搬出口部８Ｂが形成されている。
【００２０】
前記光源４は、図３に示すように、苗床パレット１のスライド移動方向及び装置Ａの幅方向にそれぞれ適当間隔を隔てて、複数個のＬＥＤ電球４ａを配置してなり、苗床パレット１の全域又は略全域に波長４２０〜４７０ｎｍの白色かつハイパワーの光が均等又は略均等に照射されるように構成されている。
【００２１】
また、図２に示すように、前記苗床ユニット１がスライド移動する方向に直交する方向の装置本体棚５の両側位置には、前記光源４（複数個のＬＥＤ電球４ａ）から照射されて装置本体棚５の側方外方へ漏洩する光を装置本体棚５の内部に向けて反射させる反射板９，９が取り付けられている。これら反射板９，９により反射された光は、補助光として植物Ｂの成長（育成）に活用される。
【００２２】
さらに、前記樋状栽培台３により形成される液体肥料循環路２は、図４に示すように、液体肥料に植物Ｂの根部Ｂａを泳がす程度の循環液量を確保する薄膜水耕方式の採用により浅い循環路に形成されている。これにより、液体肥料の使用量を低減可能となり、前記樋状栽培台３としては、例えば雨樋など市販の量産品を活用して製作されている。
【００２３】
なお、装置本体棚５の最下段の床部には、各樋状栽培台３により形成される液体肥料循環路２内に液体肥料を常時連続的に循環流動させるためのタンクやボンプ、配管等が設けられているが、それらは循環形式の液体肥料供給構造として周知であるため、詳細な説明及び図示は省略する。
【００２４】
また、装置本体棚５を構成する柱状体６，６としては、鋼鉄パイプの外面をプラスチック被覆し、且つ、内面を塗装したパイプが用いられている。このパイプ（柱状体６，６）は、液体肥料を樋状栽培台３の液体肥料循環路２に連続的に循環流動させるための液体肥料供給路の一部として利用されている。これにより、装置本体棚５を軽くて丈夫であるとともに、防食防錆性及び耐久性にも優れた構成とすることができる。
【００２５】
次に、以上のように構成された本実施形態の水耕栽培装置Ａは、野菜等の植物Ｂを定植保持した苗床パレット１を搬入口部８Ａから装置本体棚５内の樋状栽培台３上に順次投入した後、その投入した苗床パレット１を樋状栽培台８ａに沿ってスライド移動させることにより植物Ｂを次第に成長（育成）させる。その後、苗床パレット１を搬出口部８Ｂから装置本体棚５の外方へ順次排出させて成長した植物を収穫するといったように、装置本体棚５に対して苗床パレット１を一方から他方へ向けてスライド移動させる先入れ先出し形式で水耕栽培を行うことが可能である。そのため、作業者は、装置本体棚５の両端部という定位置に居て無駄な動作を抑えながら、定植作業及び収穫作業を簡単かつ効率的に行うことができる。
また、上下方向複数段で水耕栽培する場合でも、脚立等を使用する必要がないため、定植作業や収穫作業を安定的かつ安全に行うことができる。
【００２６】
また、液体肥料をタンクに貯留する湛液型水耕でなく、液体肥料を樋状栽培台３が形成する液体肥料循環路２に循環させて植物Ｂの根部Ｂａに常に流動接触させる薄膜水耕方式を採用しているので、液体肥料の使用量を低減することが可能となり、その結果、樋状栽培台３として雨樋などの市販量産品を活用して装置全体を軽量小型で且つ安価に製作することができる。
【００２７】
加えて、苗床パレット１をスライド移動させて植物Ｂを成長させるので、光合成を促進させる波長の光を全ての植物Ｂに対してほぼ均等に照射することができ、作業者の無駄な動作を最小限に抑えながらも、植物の成長にむらをなくして良品収穫量の向上を図ることができる。
【００２８】
特に、光源４として、前記苗床パレット１全域に光が均等又は略均等に照射されるように配置された複数個のＬＥＤ電球４ａから構成することにより、光源４自体の寿命を長くし、且つ消費電力も少なくて経済的であるばかりでなく、植物の光合成作用及び形態形成（茎を太く葉を茂らせる）に適合した波長で植物を早く且つ健康に成長させることができる。
更に、光源４から照射されて装置本体５の側方外方へ漏洩する光を光反射板９，９によって装置本体５の内部に向けて反射させて補助光として活用することにより、消費電力を一層抑えつつも植物の成長をより促進することができる。
【符号の説明】
【００２９】
１  苗床パレット
２  液体肥料循環路
３  樋状栽培台
４  光源
４ａ  ＬＥＤ電球
５  装置本体棚
８Ａ  搬入口部
８Ｂ  搬出口部
９  反射板
Ａ  水耕栽培装置
Ｂ  植物
Ｂａ  植物の根部
【図１】
0003190912.tif 000003
【図２】
0003190912.tif 000004
【図３】
0003190912.tif 000005
【図４】
0003190912.tif 000006
【図５】
0003190912.tif 000007
【図６】
0003190912.tif 000008